(57)【特許請求の範囲】
【請求項１】
フィールド装置のメンテナンスを行うための専用のツールであり、手持ち型の筐体に、複数の内部コンポーネントを組み込んだ本質安全性携帯式フィールドメンテナンスツールであって、
前記内部コンポーネントには、
前記フィールド装置に通信的に結合するように構成されたプロセス通信モジュールと、
少なくとも一つの画像を得るように構成された本質安全性カメラと、
前記少なくとも一つの画像を記憶するように構成されるとともに、前記プロセス通信モジュールに結合され、前記カメラに操作可能に結合された制御装置と、
地理的位置の情報を前記制御装置に提供する位置検出モジュールと、
画像及び情報を表示するように構成される表示装置と、
が含まれ、
前記複数の内部コンポーネントを含む前記本質安全性携帯式フィールドメンテナンスツール全体が、発火源を生成しないことを保証するための少なくとも一つの本質安全要件に適合し、
前記制御装置が、
−前記少なくとも一つの画像を、前記カメラに取得させること、
−前記少なくとも一つの画像が取得されたときの地理的位置の情報の提供を、前記位置検出モジュールから受けること、
−前記少なくとも一つの画像及び前記地理的位置の情報を、前記フィールド装置の情報と関連づけて記憶すること、
−前記本質安全性携帯式フィールドメンテナンスツールが前記フィールド装置に接続されたとき、前記少なくとも一つの画像を呼び出し可能とすること、
を含むステップを実行するように構成される本質安全性携帯式フィールドメンテナンスツール。
【請求項２】
前記少なくとも一つの画像が写真を含む、請求項１記載の本質安全性携帯式フィールドメンテナンスツール。
【請求項３】
前記少なくとも一つの画像がビデオを含む、請求項１記載の本質安全性携帯式フィールドメンテナンスツール。
【請求項４】
前記本質安全性カメラが、可視スペクトルにおいて前記少なくとも一つの画像を得るように構成されている、請求項１記載の本質安全性携帯式フィールドメンテナンスツール。
【請求項５】
前記内部コンポーネントが、前記制御装置に結合され、前記少なくとも一つの画像と関連づけられたオーディオ入力を受けるように構成されたオーディオ入力装置をさらに含み、
前記制御装置が、
−前記少なくとも一つの画像、前記地理的位置の情報及びオーディオ情報を、前記フィールド装置の情報と関連づけて記憶すること、
−前記本質安全性携帯式フィールドメンテナンスツールが前記フィールド装置に接続されたとき、前記少なくとも一つの画像及び前記オーディオ情報を呼び出し可能とすること、
を含むステップを実行するように構成される請求項１記載の本質安全性携帯式フィールドメンテナンスツール。
【請求項６】
前記フィールド装置の情報が装置タグを含む、請求項１記載の本質安全性携帯式フィールドメンテナンスツール。
【請求項７】
請求項１〜６のいずれか１項に記載した本質安全性携帯式フィールドメンテナンスツールを使用するフィールドメンテナンスの方法であって、
前記フィールド装置に関する少なくとも一つの較正前画像を取得すること、
前記少なくとも一つの較正前画像が取得されたときの地理的位置の情報を取得すること、
前記本質安全性携帯式フィールドメンテナンスツールを前記フィールド装置に結合し、前記フィールド装置に対して少なくとも一つのメンテナンス機能を実施すること、
前記少なくとも一つのメンテナンス機能の完了ののち、前記フィールド装置に関する少なくとも一つの較正後画像を取得すること、
前記地理的位置の情報とともに、前記少なくとも一つの較正前画像及び前記少なくとも一つの較正後画像を、前記フィールド装置の情報と関連づけること、及び
前記表示装置に表示することができるように、前記少なくとも一つの較正前画像、前記少なくとも一つの較正後画像、前記地理的位置の情報、及び前記フィールド装置の情報を記憶すること、
を含む方法。
【請求項８】
前記少なくとも一つの較正前画像及び前記少なくとも一つの較正後画像を、前記本質安全性携帯式フィールドメンテナンスツールからアセット管理システムにアップロードすることをさらに含む、請求項７記載の方法。
【発明の詳細な説明】
【技術分野】
【０００１】
手持ち型フィールドメンテナンスツールは公知である。このようなツールは、プロセス制御・計測産業において、オペレータが所与のプロセス施設中のフィールド装置と好都合に通信したり、それらに問い合わせしたりするのに非常に有用である。そのようなプロセス施設の例は、石油、製薬、化学、パルプ及び他の流体処理施設を含む。そのような施設において、プロセス制御・計測ネットワークは、正しく機能している、及び／又は較正されていることを保証するために定期的にメンテナンスを要する何十又は何百もの様々なフィールド装置を含むことがある。そのうえ、プロセス制御・計測施設において一つ以上のエラーが検出された場合、手持ち型フィールドメンテナンスツールの使用は、技術者がそのようなエラーをフィールドにおいて速やかに診断することを可能にする。手持ち型フィールドメンテナンスツールは一般に、デジタルプロセス通信プロトコルを使用して知的フィールド装置を構成し、較正し、それに関する問題を診断するために使用される。
【０００２】
少なくともいくつかのプロセス施設は非常に揮発性又は爆発性とさえ言える環境を含むことがあるため、多くの場合、フィールド装置及びそのようなフィールド装置とともに使用される手持ち型フィールドメンテナンスツールは、本質安全要件と適合することが有益である、又はそれを求められることさえある。これらの要件は、適合性の電気装置が故障条件下でさえ発火源を生成しないことを保証するのに役立つ。本質安全要件の一例が、Factory Mutual Research October, 1998によって公布されたAPPROVAL STANDARD INTRINSICALLY SAFE APPARATUS AND ASSOCIATED APPARATUS FOR USE IN CLASS I, II and III, DIVISION NUMBER 1 HAZARDOUS (CLASSIFIED) LOCATION, CLASS NUMBER 3610に記載されている。本質安全要件と適合する手持ち型フィールドメンテナンスツールの一例は、商品名モデル475 Field CommunicatorとしてAustin, TexasのEmerson Process Managementから市販されているものを含む。
【発明の概要】
【０００３】
本質安全性携帯式フィールドメンテナンスツールは、フィールド装置に通信的に結合するように構成されたプロセス通信モジュールを含む。カメラが、フィールド装置に関する少なくとも一つの画像を得るように構成されている。制御装置がプロセス通信モジュールに結合され、カメラに操作可能に結合されている。制御装置は、フィールド装置に関する少なくとも一つの画像を記憶するように構成されている。携帯式フィールドメンテナンスツールはまた、オーディオファイルを捕獲（キャプチャ）するためのオーディオ入力装置を含む、又は用いることもできる。
【図面の簡単な説明】
【０００４】
【図１Ａ】本発明の実施態様が特に有用である携帯式フィールドメンテナンスツールの図である。
【図１Ｂ】本発明の実施態様が特に有用である携帯式フィールドメンテナンスツールの図である。
【図２】本発明の実施態様が特に有用である携帯式フィールドメンテナンスツールの図である。
【図３】本発明の実施態様の携帯式フィールドメンテナンスツールの構成図である。
【図４】本発明の実施態様にしたがって本質安全性カメラ／入力装置と対話する本質安全性携帯式フィールドメンテナンスツールの図である。
【図５】本発明の実施態様の外部入力モジュールの構成図である。
【図６】本発明の実施態様にしたがって、事前に作成されたオーディオ／写真／ビデオ情報を別の携帯式フィールドメンテナンスツール又はパーソナルコンピュータから受信及び／又は別の携帯式フィールドメンテナンスツール又はパーソナルコンピュータへと送信する携帯式フィールドメンテナンスツールの図である。
【図７】本発明の実施態様にしたがって携帯式フィールドメンテナンスツールを使用してフィールドメンテナンスを実施する方法の流れ図である。
【０００５】
詳細な説明
図１Ａ及び１Ｂは、フィールド装置２０、２３に結合された手持ち型フィールドメンテナンスツール２２の図である。図１Ａに示すように、手持ち型フィールドメンテナンスツール２２は一対の端子２５、２７を含み、これらの端子がテストリード３０、３２にそれぞれ結合し、そしてこれらのテストリードがフィールド装置２０の端子２４に結合されている。端子２４は、そのような手持ち型フィールドメンテナンスツールが装置２０に結合し、装置２０と対話することを可能にするための専用端子であることもできる。フィールド装置に結合するための端子２５、２７の利用は、手持ち型フィールドメンテナンスツール２２とフィールド装置２０との間の有線接続の例を示す。
【０００６】
図１Ｂは、手持ち型フィールドメンテナンスツール２２が、フィールド装置２３が結合されているプロセス制御ループ３４に直結する代替構成を示す。いずれの場合でも、手持ち型フィールドメンテナンスツールとフィールド装置との間の有線接続が、手持ち型フィールドメンテナンスツールが所望のフィールド装置２０、２３と対話することを可能にする。
【０００７】
図２は、無線フィールド装置１０４と対話する手持ち型フィールドメンテナンスツール１０２の図である。システム１００は、フィールド装置１０４と通信する手持ち型フィールドメンテナンスツール１０２を含む。手持ち型フィールドメンテナンスツール１０２は、通信リンク１１４を介してフィールド装置に１０４に通信的に結合されている。通信リンク１１４は、図１Ａ及び１Ｂに示すような有線接続ならびに現在使用されている、又は開発されている無線通信技術を含む適当な形態をとることができる。手持ち型フィールドメンテナンスツール１０２は、技術者が、FOUNDATION（商標）フィールドバス及び／又はＨＡＲＴ（登録商標）プロトコルのようなデジタルプロセス通信プロトコルを使用して、フィールド装置１０４と対話してフィールド装置１０４を構成し、較正し、及び／又は、それに関する問題を診断することを可能にする。ツール１０２のような手持ち型フィールドメンテナンスツールを使用して、フィールド装置１０４のようなフィールド装置からのコンフィギュレーションデータを保存することができる。
【０００８】
フィールド装置１０４は、圧力又は温度のようなプロセス中の変量を感知し、その変量に関する情報をプロセス通信ループを介して送信する任意の装置であることができる。フィールド装置１０４はまた、プロセス通信ループから情報を受信し、その情報に基づいて物理的パラメータ、たとえば弁閉鎖を設定する装置であることもできる。フィールド装置１０４は、それに結合された圧力マニホルド１０６及び電子部品筐体１０８を有する工業プロセス流体圧力トランスミッタとして示されている。フィールド装置１０４は、例を示すためだけに提供されている。実際には、フィールド装置１０４は、任意の工業装置、たとえばプロセス流体温度トランスミッタ、プロセス流体レベルトランスミッタ、プロセス流体流量トランスミッタ、弁制御装置又は工業プロセスの計測及び／又は制御に有用である他の装置であることもできる。
【０００９】
手持ち型フィールドメンテナンスツール１０２は一般に、表示装置１２０及び多数のユーザ入力ボタン１２２を含むユーザインタフェースを含む。表示装置１２０は、適当な表示装置、たとえばアクティブマトリックス液晶表示装置又は有用な情報を提供することができる他の適当な表示装置であることもできる。ボタン１２２は、手持ち型フィールドメンテナンスツールを向けることができる任意の数の機能に関するボタンの適当な配列を含むことができる。ボタン１２２は、数字キーパッド、英数字キーパッド、適当な数のカスタム機能及び／又はナビゲーションボタン又はそれらの任意の組み合わせを含むことができる。
【００１０】
図３は、本発明の実施態様の手持ち型フィールドメンテナンスツールのシステム構成図である。ツール５２は、潜在的に爆発性の環境における安全性を保証することに役立つために、先に挙げたもののような少なくとも一つの本質安全規格と適合することが好ましい。手持ち型フィールドメンテナンスツール５２は、好ましくは、少なくとも一つの無線プロセス通信モジュール１２１を含む。無線プロセス通信モジュール１２１の適当な例は、公知の無線通信プロトコル、たとえば無線ＨＡＲＴプロトコル（ＩＥＣ６２５９１）にしたがって適切な信号を生成及び／又は受信するモジュールを含む。他の無線プロセス通信プロトコルがＩＳＡ１００．１１ａに記載されている。図３は一つの無線プロセス通信モジュール１２１しか示さないが、今ある、又は今後開発される様々な無線プロセス通信プロトコルにしたがって通信するために適当な数の無線プロセス通信モジュールを使用することができることが明らかに考えられる。
【００１１】
手持ち型フィールドメンテナンスツール５２はまた、少なくとも一つの二次無線通信プロトコルモジュール１２３を含む。無線通信プロトコルモジュール１２３は、図３に仮想的に示す選択肢の一つ以上にしたがって通信することができる。具体的には、無線通信プロトコルモジュール１２３は、Bluetooth規格１２４（たとえばパワークラス２定格のBluetooth規格２．１）、Wi-Fi規格１２６（たとえばＩＥＥＥ８０２．１１．ａ／ｂ／ｇ／ｎ）、公知のＲＦＩＤ規格１２８、セルラー通信技術１３０（たとえばＧＳＭ／ＣＤＭＡ）及び／又は衛星通信１３２にしたがって通信することもできる。これらの通信技術及び方法は、手持ち型フィールドメンテナンスツール５２が、直接無線通信により、又はインターネットを使用して、無線ゲートウェイ又は他の適当な装置と直接通信することを可能にする。図３には一つの無線通信プロトコルモジュール１２３しか示されていないが、適当な数を使用することができる。無線プロセス通信プロトコルモジュール１２１及び無線通信プロトコルモジュール１２３それぞれは、有線プロセス通信モジュール１３８にも結合されている制御装置１３０に結合されている。制御装置１３０は、好ましくは、その中又は制御装置１３０に結合されたメモリの中に記憶された一連の命令を実行して、手持ち型フィールドメンテナンスタスクを実行するマイクロプロセッサである。有線プロセス通信モジュール１３８が、手持ち型フィールドメンテナンスツール５２を、端子１４２、１４４における有線接続を介してフィールド装置に物理的に結合することを可能にする。適当な有線プロセス通信の例は、ＨＡＲＴ（Highway Addressable Remote Transducer）（登録商標）プロトコル、FOUNDATION（商標）フィールドバスプロトコル、Profibusなどを含む。
【００１２】
手持ち型フィールドメンテナンスツール５２は、表示装置１２０及びキー１２２を使用してユーザインタフェースを生成するためのユーザインタフェースモジュール１５６を含む。モジュール１５６は、表示装置１２０と対話するために適当な表示装置ドライバ回路１５８及び／又はメモリを含むことができる。モジュール１５６はまた、ユーザ入力を受信するためにボタン１２２と対話するように構成されている入力回路１６０を含む。さらには、表示装置１２０がタッチスクリーンを含む実施態様において、モジュール１６０は、タッチスクリーンが受けるユーザのタッチ及び／又はしぐさに基づいて制御装置１３０へのユーザ入力データを生成するための回路を含むことができる。
【００１３】
携帯式フィールドメンテナンスツールは、カメラ１５７を含む、又はカメラ１５７に結合されている。好ましくは、カメラ１５７は、携帯式フィールドメンテナンスツール５２の内部コンポーネントである。しかし、本発明の実施態様は、図４及び５に関して以下に説明するような別個の本質安全性外部モジュールであるカメラ１５７を含む。好ましくは、カメラ１５７は公知のＣＣＤ（電荷結合素子）又はＣＭＯＳ画像取得システムである。カメラ１５７は可視スペクトルにおいて画像（静止画、ビデオ又は両方）を捕獲（キャプチャ）することが好ましいが、いくつかの実施態様は、赤外線に感受性である、又は赤外線を画像化するカメラを含むこともできる。そのうえ、本発明の実施態様は一般に一つのカメラに関して説明されるが、複数のそのようなカメラを使用することもできることが明らかに考えられる。たとえば、第一のカメラは、携帯式フィールドメンテナンスツール５２の内部コンポーネントであり、可視スペクトルに感受性であってもよい。第二のカメラ１５７は、無線通信を使用してその画像データを携帯式フィールドメンテナンスツールに送信する本質安全性外部カメラであることもできる。なおさらに、さらに別の外部カメラ１５７が、プロセス施設内の瞬間的な事象を捕獲するために、高いフレーム率（たとえば毎秒１０００フレーム）を使用する高速画像取得を使用してビデオを捕獲するように構成されることもできる。
【００１４】
携帯式フィールドメンテナンスツール５２は、さらなる機能性を促進するいくつかのさらなるアイテムを含むことができる。具体的には、ツール５２は、ＧＰＳモジュール１５０のような位置検出モジュールを含むことができる。ＧＰＳモジュール１５０は、適宜、改善された精度のためにＷＡＡＳ（Wide Area Augmentation System）をさらに使用するように構成されることもできるし、差分ＧＰＳ技術を使用して作動するように構成されることもできる。モジュール１５０は制御装置１３０に結合されて、ツール５２の地理的位置の表示を制御装置１３０に提供する。位置検出モジュール１５０は、好ましくはツール５２の内部コンポーネントであるが、外部にあり、適当な無線又は有線通信プロトコル、たとえばBluetooth 124、ＲＦＩＤ１２８などを使用して、それに通信的に結合されることもできる。さらに、位置検出モジュール１５０は一般にＧＰＳモジュール１５０として説明されるが、既知の固定位置を有する無線トランシーバとの無線通信の相対的強さに基づいて携帯式フィールドメンテナンスツールの位置を三角測量するための他の技術を使用することもできる。そのような無線三角測量技術の例は、三つ以上の固定位置WiFi通信ポイント、もしくはアクセスポイントとの通信に基づく携帯式フィールドメンテナンスツール５２の位置の三角測量を含む。なおさらに、上述したように、本発明の実施態様は、一つ以上の無線プロセス通信プロトコルモジュール、たとえばモジュール１２１を使用する能力を含むこともできる。
【００１５】
さらに、ツール５２はまた、好ましくは、制御装置１３０に結合されたコンパスモジュール１５２を含み、ツール５２が、それが指す方位を示すことができるようになっている。最後に、ツール５２はまた、重力に対するツール５２の傾きの角度に関する表示を制御装置１３０に提供するための、制御装置１３０に結合されたチルトモジュール１５４を含むことができる。しかし、さらなる感知軸が同様に考えられる。
【００１６】
位置ロケーションモジュール１５０、コンパスモジュール１５２及びチルトモジュール１５４は、携帯式フィールドメンテナンスツールが、フィールド中の無線フィールド装置の物理的位置を技術者又はエンジニアが見いだすのを支援する場合に特に有用である。精油所は、多くの場合、容易には目視できないものもある、様々な場所に配置された多数のフィールド装置を有する非常に大きなプロセス施設である。位置検出モジュール１５０は、好ましくは、位置情報を制御装置１３０に提供して、携帯式フィールドメンテナンスツールによって取得される画像及び／又はビデオが、その画像及び／又はビデオが取得されたときの携帯式フィールドメンテナンスツールの地理的位置を示すメタデータとともに記憶されるようにする。そのうえ、コンパス向首方向もまた、好ましくは画像又はビデオメタデータ中に記憶される。
【００１７】
技術者がフィールドにいるとき、技術者が、フィールド装置のその場所における写真を見る能力（識別のため、又は履歴写真を現在の見た目に比較するため）又は装置（たとえばモータ）によって発生するノイズを事前に記録されたノイズに比較する能力を有することが役立つこともある。本発明の実施態様にしたがって、本質安全性携帯式フィールドメンテナンスツールは、フィールド装置のオーディオ及び／又は写真／ビデオを記録する能力を提供するビデオ及び／又はオーディオ入力装置を含む、又はそれに操作可能に結合されている。そのうえ、携帯式フィールドメンテナンスツールは、ハードウェア、ソフトウェア又はそれらの組み合わせを通して、フィールド装置の記録されたオーディオ及び／又はビデオを他の装置情報、たとえば装置タグ、地理的位置などと関連づけるように構成されている。
【００１８】
図４は、本質安全性カメラ／入力装置２０２と無線で対話する本質安全性携帯式フィールドメンテナンスツール２００の図である。好ましくは、携帯式フィールドメンテナンスツール２００と外部入力装置２０２とは、図３に関して述べた無線通信技術の一つにしたがって通信する。より好ましくは、通信はBluetooth通信又はWiFi通信に準拠する。無線通信は有線接続ポートを有さず、したがって、本質安全要件への準拠を容易にするため、無線通信が有線通信よりも好ましい。入力装置２０２は、フィールドにおいて一つ又は複数の静止画像を捕獲することができる写真カメラであってもよい。代替的又は追加的に、装置２０２は、ビデオ及び対応するオーディオ情報を捕獲及び記憶／ストリーミング又は他のやり方で送ることができるビデオカメラであってもよい。装置２０２はまた、瞬間的なプロセス事象を捕獲するための高速カメラであってもよい。なおさらに、カメラ又は入力装置２０２が携帯式フィールドメンテナンスツール２００に対して外部にある実施態様は、技術者が所与の区域を容易には見ることができない状況において特に有用である。そのような状況においては、入力装置を、単に、見るのに好都合な場所に配置することができ、画像又はビデオ情報を技術者の携帯式フィールドメンテナンスツール上で見ることができる。そのうえ、本発明の実施態様はまた、複数のそのような外部入力装置２０２と同時に通信する一つの携帯式フィールドメンテナンスツールを考慮している。このようにして、表示装置１２０を見る技術者は、フィールド中の複数の場所における状態を同時にモニタすることができる。図４に関して上述した実施態様は、カメラ／入力装置２０２と携帯式フィールドメンテナンスツールとの間に無線通信を用いるが、本発明の実施態様は、カメラ／入力装置２０２が携帯式フィールドメンテナンスツールに物理的に結合されている状態で実施することもできる。そのような場合、それらの間の通信は、好ましくは、ＵＳＢ（Universal Serial Bus）接続のような有線通信を介する通信であろう。
【００１９】
図５は、本発明の実施態様の外部入力モジュール２０２の構成図である。モジュール２０２は、公知のＣＣＤ（電荷結合素子）又はＣＭＯＳ画像取得システムであってもよいカメラサブシステム２０４を含む。好ましくは、入力装置２０２は、充電式であってもよい内部バッテリ２０６によって駆動される。入力装置２０２は、好ましくは制御装置２０８を含み、制御装置２０８は、好ましくはマイクロプロセッサである。制御装置２０８は、画像取得、ビデオもしくは写真ストリーミング、画像もしく写真転送又は他の適当な機能を実行するためのいくつかのプログラム命令を含むための適当なメモリを含む、又はそれに結合されている。さらには、メモリは、好ましくは、かなりの数の個々の画像及び／又はビデオを記憶するのに十分な容量を含む。入力装置２０２はまた、好ましくはBluetooth規格又はWiFi規格のいずれかにしたがって作動する無線通信モジュール２１０を含む。そのような規格は、相対的に限られた物理的近接、たとえば数十メートルの範囲の高速データ転送をサポートする。
【００２０】
図６は、本発明の実施態様にしたがって、事前に作成されたオーディオ／写真／ビデオ情報を別の携帯式フィールドメンテナンスツール２１２又はパーソナルコンピュータ２１４から受信及び／又は別の携帯式フィールドメンテナンスツール２１２又はパーソナルコンピュータ２１４へと送信する携帯式フィールドメンテナンスツール２００の図である。携帯式フィールドメンテナンスツール２００はまた、好ましくは、事前に作成されたオーディオ／写真／ビデオ情報を別の携帯式フィールドメンテナンスツール又はパーソナルコンピュータからロードすることができる。事前に作成されたオーディオ／写真／ビデオ情報は、別の携帯式フィールドメンテナンスツール、たとえばツール２１４によって事前に作成されたもの、別のタイプの記録装置、たとえばデジタルカメラを使用して作成され、パーソナルコンピュータ２１４に記憶されたものなどであることもできる。携帯式フィールドメンテナンスツール２００は、技術者が、このオーディオ／ビデオ／写真情報をインポートし、そのような情報をフィールド装置のタグ／固有識別子と関連づけることを許して、次に携帯式フィールドメンテナンスツール２００がフィールド装置に接続したとき、技術者が、そのオーディオ／写真／ビデオ情報をコールアップ又は他のやり方で呼び出し、それを、携帯式フィールドメンテナンスツールの表示装置上で見たり、Bluetoothを介して携帯式フィールドメンテナンスツールと通信するヘッドセット２１６で聞いたりすることができるようにする。そのうえ、技術者はまた、新たな情報を創製し、それを携帯機に加える、又は他のやり方でそれをフィールド装置と関連づける能力を有する。そのような新たなオーディオ／写真／ビデオ情報はまた、ＰＣ２１４、携帯式フィールドメンテナンスツール２００にアップロードすることもできるし、そのフィールド装置のためのライブラリ中に維持することもできる。オーディオ／写真／ビデオ情報はまた、アセット管理システム中の一つ以上のアセットと関連づけることもできる。
【００２１】
図７は、本発明の実施態様にしたがって携帯式フィールドメンテナンスツールを使用してフィールドメンテナンスを実施する方法の流れ図である。方法３００は、技術者が、フィールド装置に対して作業にかかる前に、携帯式フィールドメンテナンスツールを使用してフィールド装置の画像及び／又はビデオを取得するブロック３０２において開始する。これは、フィールド装置の「較正前（as-found）」画像である。二つ以上の較正前画像があってもよい。たとえば、異なる視点から複数の画像又はビデオが取得されてもよい。さらには、較正前画像のために複数のタイプのカメラが使用されてもよい。たとえば、スチールカメラが可視スペクトルにおいて較正前の高解像写真を撮ってもよく、較正前ビデオが赤外スペクトルにおいて取得されてもよい。
【００２２】
次に、ブロック３０４において、技術者が携帯式フィールドメンテナンスツールをフィールド装置に結合し、必要なメンテナンス作業、たとえば較正、診断、修理などを実行する。ブロック３０４におけるメンテナンスが完了したのち、ブロック３０６において、技術者が携帯式フィールドメンテナンスツールを使用してフィールド装置の「較正後(as-left)」画像を取得する。較正前画像及び較正後画像又はビデオは携帯式フィールドメンテナンスツールに記憶される。好ましくは、較正前画像及び較正後画像又はビデオが別の装置又はシステム、たとえばアセット管理システムにアップロードされる任意選択のステップ３０８が実行される。このようにして、フィールドメンテナンスがより良く文書化される。そのような画像の長期記録保存はまた、摩耗もしくは腐食又は時間とともにゆっくりと起こる他の状態を識別するのに役立つことができる。
【図１Ａ】
0005955841.tif 000002
【図１Ｂ】
0005955841.tif 000003
【図２】
0005955841.tif 000004
【図３】
0005955841.tif 000005
【図４】
0005955841.tif 000006
【図５】
0005955841.tif 000007
【図６】
0005955841.tif 000008
【図７】
0005955841.tif 000009